(57)【要約】【課題】加湿ロータに十分な空気を通過させて、大きな加湿量を得ることができる空気清浄機を提供すること。【解決手段】空気清浄フィルタユニット３０の一部から加湿ロータ４０への加湿通路５２と、空気清浄フィルタユニット３０の他の一部から加湿ロータ４０を経由しないでファン２０に至る非加湿通路５１とを仕切り板５０で仕切る。この仕切り板５０によって、加湿通路５２から非加湿通路５１へ加湿ロータ４０をバイパスする空気の流れが防止されて、加湿通路５２に流れる空気の殆どを加湿ロータ４０に流すことができる。したがって、加湿ロータ４０に十分に空気を通過させて、大きな加湿量を得ることができる。【選択図】図２
2010019524.tif 000002
【特許請求の範囲】
【請求項１】
吸込口（５）と吹出口（６）を有するケーシング（１）と、
上記ケーシング（１）内に配置された空気清浄フィルタユニット（３０）と、
上記ケーシング（１）内に、かつ、上記空気清浄フィルタユニット（３０）よりも下流側に配置されたファン（２０）と、
上記空気清浄フィルタユニット（３０）とファン（２０）との間に位置し、かつ、上記空気清浄フィルタユニット（３０）の一部に対向するように配置された加湿部材（４０）と、
上記空気清浄フィルタユニット（３０）の一部から加湿部材（４０）への加湿通路（５２）と、上記空気清浄フィルタユニット（３０）の他の一部から上記加湿部材（４０）を経由しないでファン（２０）に至る非加湿通路（５１）とを仕切る仕切り板（５０）と
を備えることを特徴とする空気清浄機。
【請求項２】
請求項１に記載の空気清浄機において、
上記仕切り板（５０）は、空気の流れ方向において、上記空気清浄フィルタユニット（３０）から少なくとも加湿部材（４０）の位置まで延びている
ことを特徴とする空気清浄機。
【請求項３】
請求項１または２に記載の空気清浄機において、
上記ファン（２０）のベルマウス（２３）の一部に、上記加湿部材（４０）が重なり、上記ファン（２０）のベルマウス（２３）の他の一部に、上記非加湿通路（５１）が通じている
ことを特徴とする空気清浄機。
【請求項４】
請求項３に記載の空気清浄機において、
上記仕切り板（５０）は、上記ファン（２０）またはベルマウス（２３）の近傍まで延びている
ことを特徴とする空気清浄機。
【発明の詳細な説明】
【技術分野】
【０００１】
この発明は、空気清浄機、特に、加湿機能を有する空気清浄機に関する。
【背景技術】
【０００２】
従来、この種の空気清浄機としては、特開２００７−１０２３０号公報（特許文献１）に記載のものが知られている。
【０００３】
この空気清浄機は、吸込口と吹出口とを有するケーシング内に、上流側から順次、空気清浄フィルタユニットと、加湿部材としての気化フィルタと、ファンとを配置している。そして、上記吸込口から空気清浄フィルタユニットの一部を経由した清浄空気に、気化フィルタで加湿を行って加湿空気を生成している。この加湿空気と、空気清浄フィルタユニットの他の一部を経由した非加湿空気とを、ファンにより吸引して、吹出口から加湿空気を吹き出すようにしている。
【０００４】
しかしながら、上記従来の空気清浄機では、空気清浄フィルタユニットの一部から気化フィルタを経由する空気通路の通風抵抗が、空気清浄フィルタユニットの他の一部から気化フィルタを経由しない空気通路の通風抵抗よりも、大きいため、気化フィルタをバイパスする空気流が多くなって、気化フィルタに十分な空気を通過させることができなくて、加湿量が少ないという問題があった。
【特許文献１】特開２００７−１０２３０号公報、図２、図３
【発明の開示】
【発明が解決しようとする課題】
【０００５】
そこで、この発明の課題は、加湿部材に十分な空気を通過させて、大きな加湿量を得ることができる空気清浄機を提供することにある。
【課題を解決するための手段】
【０００６】
上記課題を解決するため、この発明の空気清浄機は、
吸込口と吹出口を有するケーシングと、
上記ケーシング内に配置された空気清浄フィルタユニットと、
上記ケーシング内に、かつ、上記空気清浄フィルタユニットよりも下流側に配置されたファンと、
上記空気清浄フィルタユニットとファンとの間に位置し、かつ、上記空気清浄フィルタユニットの一部に対向するように配置された加湿部材と、
上記空気清浄フィルタユニットの一部から加湿部材への加湿通路と、上記空気清浄フィルタユニットの他の一部から上記加湿部材を経由しないでファンに至る非加湿通路とを仕切る仕切り板と
を備えることを特徴としている。
【０００７】
この発明の空気清浄機によれば、上記空気清浄フィルタユニットの一部から加湿部材への加湿通路と、上記空気清浄フィルタユニットの他の一部から上記加湿部材を経由しないでファンに至る非加湿通路とを仕切り板で仕切っている。
【０００８】
したがって、この仕切り板によって、加湿通路から非加湿通路への空気の流れが防止されて、つまり、加湿通路から加湿部材をバイパスする空気の流れが防止されて、加湿通路に流れる空気の殆どを加湿部材に流すことができる。
【０００９】
したがって、この発明の空気清浄機によれば、加湿部材に十分に空気を通過させて、大きな加湿量を得ることができる。
【００１０】
１実施形態では、
上記仕切り板は、空気の流れ方向において、上記空気清浄フィルタユニットから少なくとも加湿部材の位置まで延びている。
【００１１】
上記実施形態では、上記仕切り板は、空気の流れ方向において、上記空気清浄フィルタユニットから少なくとも加湿部材の位置まで延びているので、加湿部材をバイパスする空気量が少なくて、加湿部材に十分に空気を通過させて、大きな加湿量を得ることができる。
【００１２】
また、１実施形態では、
上記ファンのベルマウスの一部に、上記加湿部材が重なり、上記ファンのベルマウスの他の一部に、上記非加湿通路が通じている。
【００１３】
この明細書で、ベルマウスとは、ベルマウス自体の他、ベルマウス自体に囲まれた開口をも含む概念である。
【００１４】
上記実施形態によれば、上記ファンのベルマウスの一部に重なる加湿部材を経由しない非加湿通路は、上記ファンのベルマウスの他の一部に通じているから、この非加湿通路を流れる空気は、加湿部材を経由しないで、ファンのベルマウスの他の一部に吸入される。
【００１５】
したがって、上記実施形態によれば、上記非加湿通路を流れる空気の通風抵抗を低減でき、特に、加湿運転を行わないで空気清浄運転のみを行う場合に、十分な風量（空気量）を確保できる。
【００１６】
また、１実施形態では、
上記仕切り板は、上記ファンまたはベルマウスの近傍まで延びている。
【００１７】
上記実施形態では、上記仕切り板が、上記ファンまたはベルマウスの近傍まで延びているので、加湿部材を出た加湿空気と、非加湿通路を流れる非加湿空気との衝突による乱流を防止でき、したがって、通風抵抗を低減でき、また、騒音を低減できる。
【発明の効果】
【００１８】
この発明によれば、空気清浄フィルタユニットの一部から加湿部材への加湿通路と、上記空気清浄フィルタユニットの他の一部から上記加湿部材を経由しないでファンに至る非加湿通路とを、仕切り板により仕切っているので、加湿部材に十分な空気を通過させて、大きな加湿量を得ることができる。
【発明を実施するための最良の形態】
【００１９】
以下、この発明を図示の実施の形態により詳細に説明する。
【００２０】
図１に示すように、この空気清浄機は、ケーシング１を備え、このケーシング１は、ケーシング本体２と、このケーシング本体２に着脱可能に取り付けられた前面パネル３とからなる。
【００２１】
上記ケーシング１の両側面には吸込口５，５を設け（図３を参照。）、ケーシング１の上面の後部に吹出口６を設けている。
【００２２】
このように、この空気清浄機では、吸込口５，５をケーシング１の側面に設け、吹出口６をケーシング１の上面に設けて、ケーシング１の後面７には吸込口および吹出口を無くしているから、この空気清浄機のケーシング１の後面７は、図示しない部屋の壁面に密着させることができて、この空気清浄機の設置の自由度が高くなっている。
【００２３】
従来の空気清浄機は、吸込口がケーシングの後面にあるため、そのケーシングと部屋の壁面との間にある程度の大きさの隙間をあけないと、吸込抵抗が大きくなるため、部屋の壁面に密着させることができなくて、その設置の自由度が低かったのである。
【００２４】
一方、図２に示すように、上記ケーシング１内には、前面側に水タンク１０を立設し、後面側にファンモータ２１で駆動されるファン２０を配置している。上記水タンク１０は、石油ストーブの油タンクと同じ周知の構造を有するもので、底部の出口に、図示しないチェック弁が設けられていて、水タンク１０を立設した状態で、チェック弁が押されて開放するものである。上記水タンク１０とファン２０との間には、前面側から順に、空気清浄フィルタユニット３０と、加湿部材の一例としての加湿ロータ４０とを配置している。
【００２５】
上記水タンク１０と空気清浄フィルタユニット３０とは、図２および４に示すように、正面視で大略矩形であり、略大部分が前後方向に重なる。また、上記空気清浄フィルタユニット３０の下側の部分と加湿ロータ４０とが前後方向に重なっている。さらに、上記水タンク１０、空気清浄フィルタユニット３０および加湿ロータ４０の各々は、上記ファン２０のベルマウス２３の少なくとも一部に重なるように配置し、つまり、ベルマウス２３の少なくとも一部を覆うように配置して、ファン２３からの騒音を低減するようにしている。
【００２６】
なお、本明細書では、ベルマウス２３とは、ベルマウス２３自体の他、ベルマウス２３で囲まれる開口をも含む概念である。
【００２７】
一般に、メンテナンス頻度の高い順に並べると、上記水タンク１０、空気清浄フィルタユニット３０、加湿ロータ４０となる。例えば、上記水タンク１０には、略毎日、水を補給しなければならなく、空気清浄フィルタユニット３０の掃除または交換は約２週間から１年半に１回必要であり、加湿ロータ４０の交換は約２年に１回必要である。つまり、上記水タンク１０と空気清浄フィルタユニット３０と加湿ロータ４０とのうち、水タンク１０の水補給の頻度が最も高く、次に、空気清浄フィルタユニット３０の清掃、交換等の頻度が高く、加湿ロータ４０の清掃、交換の頻度が最も低い。すなわち、メンテナンス作業の頻度の高い順にならべると、上記水タンク１０、空気清浄フィルタユニット３０、加湿ロータ４０となっており、この水タンク１０、空気清浄フィルタユニット３０、加湿ロータ４０の順番は、ケーシング１の前面側、つまり、前面パネル３に近い順番でもある。
【００２８】
このように、メンテナンス頻度の高いもの程、ケーシング１の前面側、つまり、前面パネル３に近く配置しているので、この水タンク１０、空気清浄フィルタユニット３０、加湿ロータ４０のメンテナンスの作業性が良くなっている。
【００２９】
また、上記空気清浄フィルタユニット３０は、大きな埃やペットの毛等を捕集するためのプレフィルタ３１と、埃や塵等に帯電をさせるイオン化部３２と、帯電した埃や塵等を捕集する例えばプリーツフィルタからなる集塵フィルタ３３と、タバコの臭いやペットの臭い等の悪臭成分を捕集する脱臭フィルタ３４とを含む。上記プレフィルタ３１、イオン化部３２、集塵フィルタ３３および脱臭フィルタ３４は、ケーシング１の前面側から順に、略一直線状に配列している。したがって、上記水タンク１０、プレフィルタ３１、イオン化部３２、集塵フィルタ３３、脱臭フィルタ３４および加湿ロータ４０は、ケーシング１の前面側から順に、配列していることになる。
【００３０】
一方、一般に、メンテナンス頻度の高い順に並べると、上記水タンク１０、プレフィルタ３１、イオン化部３２、集塵フィルタ３３、脱臭フィルタ３４および加湿ロータ４０となる。例えば、上記水タンク１０には、略毎日、水を補給しなければならなく、プレフィルタ３１の清掃の頻度は、約２週間に１回であり、イオン化部３２のメンテナンスの頻度は、約半年に１回であり、集塵フィルタ３３の清掃または交換の頻度は、約１年に１回であり、脱臭フィルタ３４の清掃の頻度は、約１年半に１回であり、加湿ロータ４０の交換は約２年に１回必要である。メンテナンス作業の頻度の高いもの順に並べると、上記水タンク１０、プレフィルタ３１、イオン化部３２、集塵フィルタ３３、脱臭フィルタ３４、加湿ロータ４０となり、この水タンク１０、プレフィルタ３１、イオン化部３２、集塵フィルタ３３、脱臭フィルタ３４、加湿ロータ４０の順番は、ケーシング１の前面側、つまり、前面パネル３に近い順番でもある。
【００３１】
このように、メンテナンス頻度の高いもの程、ケーシング１の前面側、つまり、前面パネル３に近く配置しているので、この水タンク１０、プレフィルタ３１、イオン化部３２、集塵フィルタ３３、脱臭フィルタ３４および加湿ロータ４０の各々のメンテナンスの作業性は、メンテナンス作業の頻度がより低いものが、メンテナンス作業の頻度のより高いものの邪魔をすることがないので、良くなっている。
【００３２】
また、上記イオン化部３２は、加湿ロータ４０よりも空気流の上流側に配置しているので、イオン化部３２に付着した埃、塵が、加湿ロータ４０からの水分を含むことがなく、したがって、放電不良を防止できるようになっている。
【００３３】
また、上記脱臭フィルタ３４は、加湿ロータ４０よりも空気流の上流側に配置されているから、加湿ロータ４０からの水分が脱臭フィルタ３４の吸着穴を埋めてしまうことがなく、したがって、脱臭性能の低下を防止できるようになっている。
【００３４】
なお、上記集塵フィルタ３３は、プリーツがあるため表面積の大きなプリーツフィルタであるため、通風抵抗を低減できる。
【００３５】
一方、上記水タンク１０の後面１１は、図３に示すように、吸込口５，５から吸い込んだ空気を案内するガイド面として兼用して、独立したガイド部材を不要として、空気清浄機の前後方向の寸法を小さくしている。
【００３６】
詳しくは、上記水タンク１０は、図３に示すように、水平断面が略台形状をしており、側部から中央部にかけて徐々に厚さが厚くなるように、後面１１は、両側の傾斜面１２，１２と中央の平坦面１３とからなる。
【００３７】
上記水タンク１０の後面１１の傾斜面１２，１２は、ケーシング１の吸込口５，５から吸い込んだ空気を徐々に空気清浄フィルタユニット３０のプレフィルタ３１へ向けて案内して、通風抵抗を低減する。
【００３８】
尤も、上記傾斜面１２，１２に代えて、吸込口５からの空気を徐々にプレフィルタ３１に向けて案内する図示しない湾曲面を用いてもよい。
【００３９】
また、上記水タンク１０の平坦面１３を有する中央部は、側部よりも厚くして、中央のデッドスペースとなる箇所を水タンク１０の中央部に有効に利用して、タンク容量を大きくしている。
【００４０】
一方、上記空気清浄フィルタユニット３０のプレフィルタ３１、イオン化部３２、集塵フィルタ３３および脱臭フィルタ３４、並びに、加湿ロータ４０は、前後方向に部分的に重ねて、略一直線状に配列して、吸込口５から吸い込んだ空気流の屈曲回数を少なくして、通風抵抗を小さくしている。
【００４１】
一方、図２および４に示すように、上記空気清浄フィルタユニット３０の脱臭フィルタ３４および集塵フィルタ３３等は、ファン２０のベルマウス２３全体に重ねる一方、加湿ロータ４０は、ベルマウス２３の下側の部分に重ねるが、ベルマウス２３の上側の部分には重ねない。したがって、上記脱臭フィルタ３４の上側の部分からベルマウス２３の上側の部分に至る非加湿通路５１を流れる空気は、加湿ロータ４０を経由しないので、非加湿通路５１を流れる空気の通風抵抗を低減でき、特に、加湿運転を行わないで空気清浄運転のみを行う場合に、十分な風量（空気量）を確保できるようになっている。
【００４２】
一方、上記空気清浄フィルタユニット３０の脱臭フィルタ３４の下側の部分から加湿ロータ４０への加湿通路５２と、上記脱臭フィルタ３４の上側の部分からファン２０のベルマウス２３の上側の部分に至る非加湿通路５１とを、仕切り板５０で仕切っている。
【００４３】
この仕切り板５０により、加湿通路５２から非加湿通路５１への空気の流れを防止して、つまり、加湿通路５２から加湿ロータ４０をバイパスする空気の流れを防止して、加湿通路５２に流れる空気の殆どを加湿ロータ４０に流して、大きな加湿量を得ることができるようにしている。
【００４４】
もし、この仕切り板５０が存在しないと、図５の模式図で示す比較例のように、加湿通路５２を流れる空気流Ａ３が非加湿通路５１に流入して、加湿ロータ４０をバイパスするから、加湿量が少なくなるのである。
【００４５】
また、上記仕切り板５０は、空気清浄フィルタユニット３０の脱臭フィルタ３４からファン２０の近傍まで延びている。あるいは、図示しないが、上記仕切り板５０は、脱臭フィルタ３４からベルマウス２３の近傍まで延びていてもよい。
【００４６】
これにより、上記加湿ロータ４０を出た加湿空気と、非加湿通路５１を流れる非加湿空気との衝突による乱流を防止して、通風抵抗を低減し、また、騒音を低減するようにしている。
【００４７】
これを図６および７の模式図で具体的に説明すると、ファン２０の近傍迄延びる仕切り板５０により、非加湿通路５１と加湿通路５２が分離されるから、非加湿通路５１を流れる空気流Ａ１と加湿通路５２を流れる空気流Ａ２との衝突が防止でき、したがって、衝突による乱流を防止できて、通風抵抗を低減でき、騒音を低減できるのである。
【００４８】
尤も、図８の変形例に示すように、仕切り板５８は、空気清浄フィルタユニット３０から加湿ロータ４０の箇所迄延びるものであってもよい。
【００４９】
こうすることによっても、上記仕切り板５８によって、加湿ロータ４０をバイパスする空気流を防止して、加湿ロータ４０に十分に空気を通過させて、大きな加湿量を得ることができる。
【００５０】
また、図４に示すように、上記仕切り板５０は、水平部５３，５４と、それらの水平部５３，５４を連結する傾斜部５５とからなって、加湿ロータ４０および水掛装置６０に略沿うようにしている。
【００５１】
一方、上記加湿ロータ４０は、例えば、不織布等からなり、いわゆる気化フィルタ等であって、空気を通過させ、この通過する空気に気化した水分で加湿する。この加湿ロータ４０は、図２〜４に示すように、円板形状をしていて、水掛装置６０に固定している。
【００５２】
この水掛装置６０のバケット部６１は、図２および３に模式的に示すように、加湿ロータ４０の空気流の上流側に向けて水を掛けるように、加湿ロータ４０に水を掛けるときに、バケット部６１の開口８１近傍、かつ、加湿ロータ４０側の内面６２が空気流の上流側が下になるように、傾斜している。
【００５３】
上記水掛装置６０は、図９に示すように、支持脚部６３と旋回枠６５とバケット部６１，６１，…とを有する。上記支持脚部６３に、旋回枠６５を鉛直面に沿って旋回自在に取り付けている。より詳しくは、上記旋回枠６５の中心のボス部６６を支持脚部６３の上部に水平な軸６４を介して旋回自在に取り付けている。
【００５４】
図１０に示すように、上記旋回枠６５は、ボス部６６と、輪状円板部６７と、この輪状円板部６７とボス部とを連結する放射状の複数のアーム部６８，６８，…とを有する。上記アーム部６８，６８，…同士をリング部６９で連結して補強をしている。
【００５５】
図１０および１１に示すように、上記旋回枠６５の輪状円板部６７の一方の端面には、複数のバケット部６１，６１，…を円周上等間隔に設けている。そして、図１０および１１では、上記加湿ロータ４０を示していないが、上記バケット部６１とバケット部６１との間に加湿ロータ４０の外周面が旋回枠６５から露出するようにしている。
【００５６】
これにより、上記バケット部６１とバケット部６１との間において、旋回枠６５から露出している加湿ロータ４０の外周面から、バケット部６１から放出された水を滲みこませることができて、加湿量が増大できるようになっている。
【００５７】
また、上記輪状円板部６７の外周部に歯車７９を形成し、この歯車７９に図２に示すモータの一例としてのギヤードモータ７４の歯車を噛合して、旋回枠６５をギヤードモータ７４で駆動できるようにしている。
【００５８】
上記ギヤードモータ７４は、図２に示すように、加湿ロータ４０に、空気流の流通方向に重ならないように配置して、ギヤードモータ７４が、加湿ロータ４０を通る空気流の邪魔にならないようにしている。
【００５９】
これにより、上記加湿ロータ４０を通過する空気量が増大して、加湿量を増大できるようになっている。
【００６０】
また、図１０および１１に詳細に示すように、上記旋回枠６５の輪状円板部６７の内周側には、断続的に内フランジ部７１，７１，…を設けると共に、各バケット部６１の旋回方向前方に向いた開口８１の近傍から半径方向内側に向けて延びる略爪状の保持部７５を設けている。上記輪状円板部６７の内フランジ部７１，７１，…と保持部７５，７５，…によって、図１０および１１には示していないが、図２および３に示す加湿ロータ４０の両端面を拘束して保持すると共に、上記輪状円板部６７の内周面７６とバケット部６１の内周側の面７７によって、加湿ロータ４０の外周を保持している。
【００６１】
さらに、上記旋回枠６５のアーム部６８，６８，…の各々には、線状のリブ部８９を設けて、図示しないが、このリブ部８９を加湿ロータ４０に食い込ませて、この加湿ロータ４０を旋回枠６５とともに回転させるようにしている。
【００６２】
上記保持部７５は、加湿ロータ４０を保持する他に、水ガイドとしての役目を兼ねて、バケット部６１の開口８１から排出された水を半径方向内側にガイドする。
【００６３】
したがって、上記バケット部６１の開口８１から排出された水は、保持部７５により、加湿ロータ４０の半径方向内側に迅速に導かれて、広い範囲に速く行き亘り、加湿量を増大できる。
【００６４】
また、図１０および１１に示すように、上記バケット部６１の開口８１の旋回枠６５の回転方向の前方に位置する輪状円板部６７の部分７８は、開口８１からの水が加湿ロータ４０に行かないで空気流の後方に行くのを遮る壁部として機能する。
【００６５】
この輪状円板部６７の部分である壁部７８は、バケット部６１の開口８１から排出された水が、加湿ロータ４０に行かないで、空気流と共に加湿ロータ４０よりも後方に行くのを防止して、開口８１からの水を加湿ロータ４０へ案内する。
【００６６】
したがって、この壁部７８は、加湿ロータ４０の後方への水飛びを防止して、加湿量を増大でき、かつ、ファン２０および吹出口６からの水飛びを防止できる。
【００６７】
また、図２および１２に示すように、上記水掛装置６０のバケット部６１は、加湿ロータ４０に水を掛けるときに、開口８１の近傍、かつ、加湿ロータ４０側の内面６２が空気流の上流側が下になるように傾斜している。
【００６８】
このように、上記加湿ロータ４０に開口８１から水を掛けるときに、バケット部６１の開口８１の近傍、かつ、加湿ロータ４０側の内面６２が空気流の上流側が下になるように傾斜しているから、開口８１から排出される水は、空気流の上流側に向いた速度成分を有する。そのため、上記加湿ロータ４０の厚さ方向の上流側の部分に水が掛けられ、さらに、その掛けられた水が空気流と共に加湿ロータ４０の厚さ方向の下流側の部分にも行き亘ることになって、結局、加湿ロータ４０の厚さ方向の全体に水が行き亘って、大きな加湿量を得ることができる。
【００６９】
なお、図１２に示す実施形態では、上記バケット６１の加湿ロータ４０側の内面は、開口８１近傍の加湿ロータ４０側の内面６２と、その内面６２よりも奥に位置する内面７２との２段になっているが、この加湿ロータ４０側の内面は、上記内面６２およびその延長面からなる一段にしてもよい。
【００７０】
さらに、図２および１１に示すように、上記加湿ロータ４０の厚さ方向のバケット部６１の開口８１の幅は、加湿ロータ４０の厚さ寸法よりも小さく、かつ、上記バケット部６１の開口８１は、加湿ロータ４０の厚さ方向の上流側の部分に対応している（図１１においては、加湿ロータ４０は示されていないが、この加湿ロータ４０は、内フランジ部７１と保持部７５との間に挟まれている。）。
【００７１】
そのため、上記バケット部６１の開口８１から排出された水は、加湿ロータ４０の厚さ方向の空気流の上流側の部分に掛けられる一方、加湿ロータ４０の厚さ方向の空気流の下流側の部分に直接掛けられないようになっている。
【００７２】
したがって、水が掛けられた加湿ロータ４０の厚さ方向の上流側の部分に水が行き亘ることは勿論のこと、その掛けられた水が空気流と共に加湿ロータ４０の厚さ方向の下流側の部分にも行き亘り、結局、加湿ロータ４０の厚さ方向の全体に水が行き亘ることになって、大きな加湿量を得ることができる。
【００７３】
また、上記加湿ロータ４０の厚さ方向の下流側の部分に水を直接掛けないので、加湿ロータ４０から下流側への水飛びを防止でき、ひいては、ファン２０および吹出口６からの水飛びを防止できる。
【００７４】
一方、図１３は、上記バケット部６１の加湿ロータ４０側の内面６２の傾きを説明するために、加湿ロータ４０の回転中心軸に直角な方向でバケット部６１を断面した状態を表す模式図である。
【００７５】
図１２および１３から分かるように、上記水掛装置６０のバケット部６１の開口８１近傍の加湿ロータ４０側の内面６２の縁６２ａの軌跡である３次元表示の円錐面（２次元表示では円）Ｃに対する接平面ＴＰであって、かつ、上記開口８１近傍の加湿ロータ４０側の内面６２の縁６２ａを通る接平面ＴＰに対して、上記バケット部６１の加湿ロータ４０側の内面６２は反加湿ロータ４０側に鋭角θに傾斜している。
【００７６】
このように、上記バケット部６１の開口８１近傍の加湿ロータ４０側の内面６２が上記接平面ＴＰに対して、鋭角θだけ傾斜しているから、図１３から明らかなように、バケット部６１の開口８１の内面６２の縁６２ａが２次元表示での軌跡円Ｃの頂上Ｓに来る前の回転中心Ｏの回りの頂上Ｓの方向に対する中心角θ（上記鋭角θに等しい）で、上記開口８１近傍の加湿ロータ４０側の内面６２が水平になる。
【００７７】
そのため、図１３および１４に示すように、上記バケット部６１は、軌跡円Ｃの頂上Ｓに行く前に、水を排出し始め、加湿ロータ４０の頂上ＲＳ付近で水の全量を排出し終わる。
【００７８】
このように、上記バケット部６１が、加湿ロータ４０の頂上ＲＳの上に行く前の中心角θよりも大きい角で水を排出し始めて、加湿ロータ４０の頂上ＲＳ付近で水の全量を排出し終わることと、加湿ロータ４０に掛けられた水が図１４で矢印Ｗにより示すように加湿ロータ４０と共に回転方向Ｒの前方に移動することとが相俟って、加湿ロータ４０の頂上ＲＳの両側の広い範囲に水を行き亘らせることができて、加湿量を多くすることができる。
【００７９】
なお、上記鋭角θの最適値は、旋回枠６５の回転速度、加湿ロータ４０の大きさによって、変わるが、例えば、５度〜３０度程度が好ましい。
【００８０】
一方、図２に示すように、上記水掛装置６０は、加湿ロータ４０を水トレー９０の水に浸らせない一方、バケット部６１が汲み上げ部９２の水に浸って汲み上げ部９２から水を汲み上げることができるように、その寸法を設定し、かつ、配置している。
【００８１】
このように、上記加湿ロータ４０は、水トレー９０内の水に浸らないように配置することによって、水掛装置６０の旋回枠６５の停止時には、加湿ロータ４０にバケット部６１から水が掛けられない上に、加湿ロータ４０が水トレー９０の水に浸らなくて吸水しないようにして、加湿機能をオフにするようにしている。
【００８２】
したがって、上記ギヤードモータ７４で、旋回枠６５の旋回をオン、オフ制御することによって、加湿機能のオン、オフ制御ができるようになっている。
【００８３】
一方、上記水トレー９０には、図２に示すように、断面逆Ｌ字状の仕切り壁９１を設けて、汲み上げ部９２と非汲み上げ部９３とに仕切っている。上記汲み上げ部９２からバケット部６１が水を汲み上げる。上記非汲み上げ部９３は空気清浄フィルタユニット３０の上流側の空気圧力を受ける。
【００８４】
上記仕切り壁９１の上部は、空気清浄フィルタユニット３０のプレフィルタ３１、イオン化部３２、集塵フィルタ３３および脱臭フィルタ３４の下部に密着していて、空気清浄フィルタユニット３０を通過する空気の抵抗損失によって、非汲み上げ部９３上の空気圧力と汲み上げ部９２上の空気圧力とに差圧が生じるようにしている。
【００８５】
上記非汲み上げ部９３には、フロートスイッチ９４を設けて、非汲み上げ部９３の水位が定常状態よりも一定値だけ低くなると、水タンク１０に水がないことを表す表示または警報を、図示しない表示部または警報部で行うようにしている。
【００８６】
図１５により詳しく示すように、上記水トレー９０には、バケット部６１で水が汲み上げられる幅広の汲み上げ部９２と、空気清浄フィルタユニット３０の上流側の空気圧力を受ける非汲み上げ部９３とを仕切る仕切り壁９１（一部のみを示す）を設け、この仕切り壁９１の下部に通水孔としての横に長い長穴９５を設けている。
【００８７】
これにより、上記ファン２０の回転速度の上昇に応じて、空気清浄フィルタユニット３０の上流側と下流側との差圧が高くなると、この差圧の大きさに応じて、汲み上げ部９２の水位は、非汲み上げ部９３の水位よりも、高くなって、ファン２０に回転速度に応じて、バケット部６１の汲み上げ水量を自動的に調節できるようになっている。
【００８８】
したがって、上記ファン２０に回転速度に応じて、加湿ロータ４０に対する水掛け量を自動的に調節して、加湿量を簡単に自動的に調節できるようになっている。
【００８９】
上記水トレー９０の仕切り壁９１に設けた横に長い長穴９５は、水位が低くなっても、空気に露出し難い上、非汲み上げ部９３から汲み上げ部９２に迅速に水を供給して、汲み上げ部９２の水位の自動調節の応答速度を速くする。
【００９０】
一方、上記非汲み上げ部９３には、水タンク１０を設置する水タンク設置部９８を設けており、この水タンク設置部９８の底面９８ｂの高さは、非汲み上げ部９３の仕切り壁９１近傍の底面９３ｂの高さよりも高くしている。さらに、上記水タンク設置部９８の周壁には、上端から切欠き１０１を設けている。
【００９１】
これにより、上記ファン２０の回転を停止して、空気清浄フィルタユニット３０の上流側と下流側の差圧がなくなって、汲み上げ部９２から非汲み上げ部９３に水が戻って、非汲み上げ部９３の水位が一定値以上になった場合、非汲み上げ部９３からバッファ水収容部９９へ切欠き１０１を通して水を排出して、非汲み上げ部９３から外部へ水がオーバーフローするのを防止するようにしている。
【００９２】
なお、上記切欠き１０１に代えて、水タンク設置部９８の周壁の上部に貫通穴を設けてもよい。
【００９３】
なお、図２において、１１１は電源用プリント基板、１１２は操作制御用プリント基板、１１３は表示用プリント基板、１１４は埃センサ、１１５は予備用フィルタであり、図４において、１２１は高圧用プリント基板、１２２は臭いセンサ、１２３はストリーマ、１２４は受光部であり、図１５において、９６は抗菌剤のケースを取り付けるための穴、９７はフロート取付穴であり、これらは本願発明の要旨とは関連が薄いので、詳しい説明は省略する。
【００９４】
上記構成の空気清浄機は、次のように動作する。
【００９５】
図２および３に示すように、上記ファン２０をファンモータ２１で駆動し、水掛装置６０の旋回枠６５をギヤードモータ７４で駆動すると、上記ケーシング１の側面３の吸込口５，５から空気が吸い込まれる。この吸い込まれた空気は、水タンク１０の後面１１と空気清浄フィルタユニット３０のプレフィルタ３１との間から、プレフィルタ３１に向けて流れの方向を９０度１回変え、その後、略一直線状に配列された空気清浄フィルタユニット３０のプレフィルタ３１、イオン化部３２、集塵フィルタ３３、脱臭フィルタ３４、加湿ロータ４０およびファン２０を水平方向に略直線状に流れて、清浄化され、かつ、加湿されて、その後、ファン２０から出るときに、略鉛直上方に流れの方向を９０度１回変えて、ケーシング１の上面の吹出口６から排出される。
【００９６】
このように、この空気清浄機では、上記ケーシング１の吸込口５，５から吸い込まれた空気の流れ、つまり、空気流路の屈曲回数は、大略、ケーシング１の側面３の吸込口５，５から空気清浄フィルタユニット３０のプレフィルタ３１への１回とファン２０を出るときの１回との計２回であって、空気流路の屈曲回数が少ないため、通風抵抗が小さい。
【００９７】
また、上記ケーシング１の吸込口５，５から吸い込まれた空気は、水タンク１０の後面１１の両側の傾斜面１２，１２によって、空気清浄フィルタユニット３０のプレフィルタ３１へ向けて徐々に案内されて、急激な方向変化が少ないため、通風抵抗が小さい。
【００９８】
上記空気清浄フィルタユニット３０の脱臭フィルタ３４の上側の部分から出て来る清浄空気は、仕切り板５０で加湿通路５２と仕切られた非加湿通路５１を流れて、加湿ロータ４０を通過しないで、ベルマウス２３の上側の部分を通って、ファン２０に吸い込まれる一方、脱臭フィルタ３４の下側の部分から出て来る清浄空気は、加湿通路５２を流れて、加湿ロータ４０を通過して、加湿されて、ベルマウス２３の下側の部分を通って、ファン２０に吸い込まれる。
【００９９】
このように、上記脱臭フィルタ３４の上側の部分からベルマウス２３の上側の部分に至る非加湿通路５１を流れる空気は、加湿ロータ４０を経由しないので、非加湿通路５１を流れる空気の通風抵抗を低減できる。特に、ギヤードモータ７４を停止して、水掛装置６０の作動を停止して、加湿運転を行わないで、空気清浄運転のみを行っている場合に、この非加湿通路５１の存在により、十分な風量（空気量）を確保できる。
【０１００】
また、上記加湿通路５２を流れる清浄空気は、仕切り板５０により、加湿通路５２から加湿ロータ４０をバイパスして非加湿通路５１へ流入するのが防止されるため、脱臭フィルタ３４の下側の部分から加湿通路５２に流入した空気の殆どが加湿ロータ４０を通過する。このように、上記脱臭フィルタ３４からファン２０の近傍まで延びている仕切り板５０によって、加湿通路５２から加湿ロータ４０をバイパスする空気の流れが防止されるため、大きな加湿量を得ることができる。
【０１０１】
図１６の（Ａ）および（Ｂ）は、この実施形態と比較例との加湿量試験結果を示す表およびグラフである。
【０１０２】
図１６において、Ｐはこの実施形態を表し、Ｎはこの実施形態から仕切り板５０を除去した点のみがこの実施形態と異なる比較例を表す。
【０１０３】
この図１６の（Ａ）および（Ｂ）から分かるように、この実施形態Ｐと比較例Ｎとがファン２０の風量（主流風量）が同じ７.５ｍ３／minで、比較例Ｎでは加湿ロータ４０を通過する空気量が３.２１ｍ３／minであるのに対して、この実施形態では加湿ロータ４０を通過する空気量が３.５０ｍ３／minに増大し、また、比較例Ｎでは加湿量が５５６cc／hであるのに対して、この実施形態では加湿量が５９７cc／hに増大した。
【０１０４】
この実施形態Ｐの比較例Ｎに対する加湿量の増大の割合は、（５９７−５５６）／５５６＝０．０７４となる。
【０１０５】
すなわち、この実施形態Ｐでは、比較例Ｎに比べて、加湿量が、約７％強増大した。
【０１０６】
また、上記空気清浄フィルタユニット３０の脱臭フィルタ３４からファン２０の近傍まで延びている仕切り板５０によって、上記加湿ロータ４０を出た加湿空気と、非加湿通路５１を流れる非加湿空気との衝突が防止されて、乱流の発生が防止される。その結果、通風抵抗を低減でき、かつ、騒音を低減できる。
【０１０７】
一方、図２に示す加湿ロータ４０は、水掛装置６０のバケット部６１の開口８１から、水が掛けられる。詳しくは、図２，１０，１１および１２に示すように、上記ギヤードモータ７４によって、バケット部６１，６１，６１…を有する旋回枠６５が歯車７９を介して、旋回駆動されて、バケット部６１，６１，６１…が水トレー９０の汲み上げ部９２から水を順次汲み上げて、加湿ロータ４０に水を掛ける。
【０１０８】
このバケット部６１から加湿ロータ４０に水を掛けるとき、図２および１２に示すように、バケット部６１の開口８１の近傍、かつ、加湿ロータ４０側の内面６２は、空気流の上流側が下になるように傾斜しているため、開口８１から排出された水は、空気流の上流側に向いた速度成分を有する。そのため、加湿ロータ４０の厚さ方向の上流側の部分に水が掛けられ、さらに、その掛けられた水が空気流と共に加湿ロータ４０の厚さ方向の下流側の部分にも行き亘って、結局、加湿ロータ４０の厚さ方向の全体に水が行き亘って、大きな加湿量を得ることができる。
【０１０９】
さらに、図２および１１に示すように、上記加湿ロータ４０の厚さ方向のバケット部６１の開口８１の幅は、加湿ロータ４０の厚さ寸法よりも小さく、かつ、上記バケット部６１の開口８１は、加湿ロータ４０の厚さ方向の上流側の部分に対応しているため、上記バケット部６１の開口８１から排出された水は、バケット部６１とバケット部６１との間で露出している加湿ロータ４０の外周面の厚さ方向の空気流の上流側の部分のみに掛けられる。
【０１１０】
したがって、この水が掛けられた加湿ロータ４０の厚さ方向の上流側の部分の外周面から加湿ロータ４０内に水が滲みこんで、その上流側の部分に滲みこんだ水が空気流と共に加湿ロータ４０の厚さ方向の下流側の部分にも行き亘り、結局、加湿ロータ４０の厚さ方向の全体に水が行き亘ることになって、大きな加湿量を得ることができる。
【０１１１】
また、上記加湿ロータ４０の厚さ方向の下流側の部分に水を直接掛けないので、加湿ロータ４０から下流側への水飛びを防止でき、ひいては、ファン２０および吹出口６からの水飛びを防止できる。
【０１１２】
さらにまた、図１２および１３に示すように、上記水掛装置６０のバケット部６１の開口８１近傍の加湿ロータ４０側の内面６２の縁６２ａの３次元的な軌跡である円錐面Ｃに対する接平面ＴＰであって、かつ、上記開口８１近傍の加湿ロータ４０側の内面６２の縁６２ａを通る接平面ＴＰに対して、上記バケット部６１の加湿ロータ４０側の内面６２は反加湿ロータ４０側に鋭角θに傾斜しているため、図１３の断面模式図から明らかなように、バケット部６１の開口８１近傍の内面６２の縁６２ａが断面表示での軌跡円Ｃの頂上Ｓに来る前に、鉛直軸からの中心角θ（上記鋭角θに等しい）で、上記開口８１近傍の加湿ロータ４０側の内面６２が水平になり、それから、旋回枠６５の回転に伴って、その内面６２の水平面に対する傾斜を徐々に増大していく。
【０１１３】
したがって、図１３および１４に示すように、上記バケット部６１は、軌跡円Ｃの頂上Ｓに行く前に、水を排出し始め、加湿ロータ４０の頂上ＲＳ付近で水の全量を排出し終わる。
【０１１４】
したがって、上記バケット部６１から、加湿ロータ４０の頂上ＲＳに行く前の中心角θよりも大きい角で水を排出し始めて、加湿ロータ４０の頂上ＲＳ付近で水の全量を排出し終わることと、加湿ロータ４０に掛けられた水が図１４で矢印Ｗにより示すように加湿ロータ４０と共に回転方向Ｒの前方に移動することとが相俟って、加湿ロータ４０の頂上ＲＳの両側の広い範囲に水を行き亘らせることができて、加湿量を多くすることができる。
【０１１５】
さらに、上記バケット部６１の開口８１から排出された水は、図１０〜１２に示す保持部７５により、加湿ロータ４０の半径方向の内側に迅速に案内されて、加湿ロータ４０の広い範囲に速く行き亘る。
【０１１６】
したがって、この保持部７５によっても、加湿量を増大できる。
【０１１７】
上記保持部７５は、加湿ロータ４０を保持する機能の他、加湿量を増大する水ガイドとしての機能も有することになる。
【０１１８】
また、上記バケット部６１の開口８１から排出された水は、図１０および１１に示すように、その開口８１の前方に位置する旋回枠６５の輪状円板部６７の部分である壁部７８によって、空気流と共に加湿ロータ４０よりも後方に行くのが遮られて、加湿ロータ４０に向けて落下する。
【０１１９】
したがって、上記壁部７８は、加湿ロータ４０の後方への水飛びを防止して、加湿量を増大でき、かつ、ファン２０および吹出口６からの水飛びを防止できる。
【０１２０】
この実施形態では、上記バケット部６１の開口８１から水を加湿ロータ４０に掛けるときに、このバケット部６１の開口８１近傍の加湿ロータ４０側の内面６２が空気流の上流側が下になるように傾斜しているという構成によって、掛けられた水が空気流の上流側に向けての速度成分を有していることと、上記バケット部６１の開口８１が加湿ロータ４０の厚さ方向の上流側の部分に対応しているという構成によって、開口８１からの水は加湿ロータ４０の厚さ方向の上流側の部分に掛けられることと、上記バケット部６１の開口８１近傍の加湿ロータ４０側の内面６２の縁６２ａの軌跡である円錐面Ｃに対する接平面ＴＰであって、かつ、その内面６２の縁６２ａを通る接平面ＴＰに対して、上記内面６２が反加湿ロータ４０側に鋭角θに傾斜しているという構成によって、バケット部６１は、加湿ロータ４０の頂上ＲＳに行く前に、水を排出し始め、加湿ロータ４０の頂上ＲＳ付近で水の全量を排出し終わることと、バケット部６１の開口８１の近傍に設けられた保持部７５という構成によって、開口８１から排出された水を加湿ロータ４０の半径方向内側に迅速に案内することと、上記バケット部６１の開口の前方に位置する旋回枠６５の壁部７８という構成によって、バケット部６１の開口８１から排出された水が空気流と共に加湿ロータ４０よりも後方に行くのを遮って、加湿ロータ４０に向けて落下させることとの相乗作用によって、極めて多い加湿量を得ることができる。
【０１２１】
尤も、上述の加湿量を増大させるための複数の構成のうちの任意の１つだけ、あるいは、２つだけ、あるいは、３つ以上を有していてもよい。
【０１２２】
一方、図２に示すように、上記空気清浄フィルタユニット３０に対する空気のバイパスは、仕切り壁９１により遮られる。この空気清浄フィルタユニット３０のプレフィルタ３１、イオン化部３２、集塵フィルタ３３および脱臭フィルタ３４を通過する空気の抵抗損失によって、空気清浄フィルタユニット３０の上流側と下流側とに圧力差が生じる。この圧力差は、ファン２０の回転速度、つまり、風量の増大に応じて、高くなる。
【０１２３】
上記空気清浄フィルタユニット３０および仕切り壁９１の上流側の圧力は、略大気圧であり、この略大気圧が水トレー９０の非汲み上げ部９３の水に作用する一方、空気清浄フィルタユニット３０および仕切り壁９１の下流側の圧力は、大気圧よりも上記抵抗損失分だけ低い低圧であり、この低圧が水トレー９０の汲み上げ部９２の水に作用する。上記水トレー９０の非汲み上げ部９３の水に作用する略大気圧と汲み上げ部９２の水に作用する低圧とには、上述の圧力差がある。
【０１２４】
一方、上記水トレー９０の非汲み上げ部９３と汲み上げ部９２とは、仕切り壁９１の下部の長穴９５によって互いに連通しているため、水トレー９０の汲み上げ部９２の水位は、非汲み上げ部９３の水位よりも、上述の圧力差分だけ高くなる。この圧力差は、ファン２０の回転速度、つまり、風量の増大に応じて、高くなる。
【０１２５】
そのため、上記汲み上げ部９２の水位は、ファン２０の回転速度、つまり、風量の増大に応じて、高くなる。
【０１２６】
したがって、上記水掛装置６０のバケット部６１は、汲み上げ部９２から、ファン２０の回転速度（風量）の増大に応じて汲み上げ水量が大きくなるように、水を汲み上げて、加湿ロータ４０に掛けることができる。
【０１２７】
このように、上記ファン２０に回転速度に応じて、汲み上げ部９２の水位が自動的に調節されるから、水掛装置６０の旋回枠６５の回転速度を制御しなくても、風量（空気量）に応じて、加湿ロータ４０に対する水掛け量を自動的に調節でき、加湿量を簡単に自動的に調節できる。
【０１２８】
この汲み上げ部９２の水位の自動的な調節は、仕切り壁９１の下部の長穴９５を通して、汲み上げ部９２に水を供給して行うため、迅速に、応答性よく行うことができる。特に、空気に露出しにくい横に長い長穴９５を用いているので、この長穴９５を通して迅速に水を供給して、応答性よく、汲み上げ部９２の水位の自動調節を行うことができる。
【０１２９】
次に、上記ファン２０の回転が停止すると、空気清浄フィルタユニット３０の上流側と下流側の差圧がなくなるため、水位が高かった汲み上げ部９２から水位が低かった非汲み上げ部９３に水が戻って、非汲み上げ部９３の水位が一定値以上になる場合がある。
【０１３０】
この場合、非汲み上げ部９３からバッファ水収容部９９へ切欠き１０１を通して水が排出されるため、非汲み上げ部９３から外部へ水がオーバーフローすることがない。
【０１３１】
次に、メンテナンスの作業性を説明する。
【０１３２】
一般に、メンテナンス頻度の高い順に並べると、水タンク１０、プレフィルタ３１、イオン化部３２、集塵フィルタ３３、脱臭フィルタ３４および加湿ロータ４０となり、ケーシング１の前面側、つまり、前面パネル３に近い順番になる。例えば、上記水タンク１０には、略毎日、水を補給しなければならなく、プレフィルタ３１の清掃の頻度は、約２週間に１回であり、イオン化部３２のメンテナンスの頻度は、約半年に１回であり、集塵フィルタ３３の清掃または交換の頻度は、約１年に１回であり、脱臭フィルタ３４の清掃の頻度は、約１年半に１回であり、加湿ロータ４０の交換は約２年に１回必要である。
【０１３３】
上記水タンク１０に水を補給する場合、ケーシング本体２から前面パネル３を取り外して、ケーシング本体２から水タンク１０を取り出して、水タンク１０に水を補給する。
【０１３４】
このとき、空気清浄フィルタユニット３０や加湿ロータ４０は、水タンク１０の後面側にあるので、これらは、水タンク１０への水の補給作業の邪魔になることがない。
【０１３５】
したがって、水タンク１０のメンテナンス作業性が良い。
【０１３６】
次に、プレフィルタ３１の清掃作業をする場合、ケーシング本体２から前面パネル３を取り外して、水タンク１０を取り出した後、プレフィルタ３１を取り出して、清掃する。
【０１３７】
このとき、イオン化部３２、集塵フィルタ３３、脱臭フィルタ３４および加湿ロータ４０は、プレフィルタ３１の後面側にあるので、取り外して、取り出す必要がない。
【０１３８】
このように、プレフィルタ３１の清掃には、その前にある水タンク１０を取り外せばよいので、プレフィルタ３１の清掃作業が容易である。
【０１３９】
このように、メンテナンス頻度の高いもの程、ケーシング１の前面側、つまり、前面パネル３に近く配置しているので、この水タンク１０、プレフィルタ３１、イオン化部３２、集塵フィルタ３３、脱臭フィルタ３４および加湿ロータ４０の各々のメンテナンスの作業性は、メンテナンス作業の頻度がより低いものが、メンテナンス作業の頻度のより高いものの邪魔をすることがないので、良い。
【０１４０】
上記実施形態の空気清浄機は、吸込口５をケーシング１の側面に設け、吹出口６をケーシング１の上面に設けて、ケーシング１の後面７には吸込口および吹出口を無くしているので、ケーシング１の後面を、部屋の壁面に密着させることができて、その設置の自由度が高いという利点を有する。
【０１４１】
また、上記実施形態の空気清浄機では、ケーシング１の側面３の吸込口５，５から吸い込まれた空気は、水タンク１０の後面１１と空気清浄フィルタユニット３０のプレフィルタ３１との間から、プレフィルタ３１に向けて流れの方向を９０度１回変え、その後、略一直線状に配列された空気清浄フィルタユニット３０のプレフィルタ３１、イオン化部３２、集塵フィルタ３３、脱臭フィルタ３４および加湿ロータ４０からファン２０へ水平方向に略直線状に流れて、清浄化され、かつ、加湿されて、その後、ファン２０から出るときに、鉛直上方に流れの方向を９０度１回変えて、ケーシング１の上面の吹出口６から排出されるから、空気流路の屈曲回数は、大略、ケーシング１の側面３の吸込口５，５から空気清浄フィルタユニット３０のプレフィルタ３１への１回とファン２０を出るときの１回との計２回であって、空気流路の屈曲回数が少ないため、通風抵抗が小さいという利点を有する。
【０１４２】
また、上記実施形態の空気清浄機は、ケーシング１の吸込口５，５から吸い込まれた空気は、水タンク１０の後面１１の両側の傾斜面１２，１２によって、空気清浄フィルタユニット３０のプレフィルタ３１へ向けて徐々に案内されて、急激な方向変化が少ないため、通風抵抗が小さいという利点を有する。
【０１４３】
また、上記実施形態の空気清浄機では、水タンク１０の後面１１の傾斜面１２，１２をガイド面に兼用しているため、独立したガイド部材が不要で、そのため、空気清浄機の前後方向の寸法を小さくすることができる。
【０１４４】
また、上記実施形態の空気清浄機では、水タンク１０の平坦面１３を有する中央部は、傾斜面１２，１２を有する側部よりも厚くしているので、中央のデッドスペースとなる箇所を有効に利用して、タンク容量を大きくすることができる。
【０１４５】
また、上記実施形態の空気清浄機では、イオン化部３２を加湿ロータ４０よりも空気流の上流側に配置しているので、イオン化部３２に付着した埃、塵が、加湿ロータ４０からの水分を含むことがなく、したがって、放電不良を防止できる。
【０１４６】
また、上記実施形態の空気清浄機では、脱臭フィルタ３４は、加湿ロータ４０よりも空気流の上流側に配置されているので、加湿ロータ４０からの水分が脱臭フィルタ３４の吸着穴を埋めてしまうことがなく、したがって、脱臭性能の低下を防止できる。
【０１４７】
また、上記実施形態の空気清浄機では、集塵フィルタ３３として、プリーツがあるため表面積の大きなプリーツフィルタを用いているため、通風抵抗を低減できる。
【０１４８】
また、上記実施形態の空気清浄機では、加湿ロータ４０がベルマウス２３の一部に重なり、空気清浄フィルタユニット３０および水タンク１０の各々がベルマウス２３の全部に重なって、加湿ロータ４０、空気清浄フィルタユニット３０および水タンク１０でベルマウス２３を覆っているので、騒音を低減することができる。
【０１４９】
また、上記実施形態の空気清浄機では、仕切り板５０により、清浄空気が加湿通路５２から加湿ロータ４０をバイパスして非加湿通路５１へ流入するのを防止して、脱臭フィルタ３４から加湿通路５２に流入した空気の殆どを加湿ロータ４０に通過させるので、大きな加湿量を得ることができる。
【０１５０】
また、上記実施形態の空気清浄機では、空気清浄フィルタユニット３０の脱臭フィルタ３４からファン２０またはベルマウス２３の近傍まで延びている仕切り板５０を備えているので、加湿ロータ４０を出た加湿空気と、非加湿通路５１を流れる非加湿空気との衝突を防止して、乱流の発生を防止して、通風抵抗を低減でき、かつ、騒音を低減できる。
【０１５１】
また、上記実施形態の空気清浄機では、ファン２０のベルマウス２３の一部に、加湿ロータ４０が重なり、ファン２０のベルマウス２３の他の一部に、加湿ロータ４０が重ならないで、空気清浄フィルタユニット３０の一部が重なっているので、通風抵抗を低減でき、特に、加湿運転を行わないで、空気清浄運転のみを行う場合に、十分な風量（空気量）を確保できる。
【０１５２】
また、上記実施形態の空気清浄機では、バケット部６１から加湿ロータ４０に水を掛けるとき、バケット部６１の開口８１の近傍、かつ、加湿ロータ４０側の内面６２は、空気流の上流側が下になるように傾斜しているので、開口８１から排出された水は、空気流の上流側に向いた速度成分を有して、加湿ロータ４０の厚さ方向の上流側の部分に水が掛けられて、その掛けられた水が空気流と共に加湿ロータ４０の厚さ方向の下流側の部分にも行き亘って、結局、加湿ロータ４０の厚さ方向の全体に水が行き亘って、大きな加湿量を得ることができる。
【０１５３】
また、上記実施形態の空気清浄機では、バケット部６１の開口８１は、加湿ロータ４０の厚さ方向の上流側の部分に対応していて、バケット部６１の開口８１から排出された水は、加湿ロータ４０の外周面の厚さ方向の空気流の上流側の部分に掛けられるので、加湿ロータ４０の厚さ方向の上流側の部分に滲みこんだ水が空気流と共に加湿ロータ４０の厚さ方向の下流側の部分にも行き亘り、結局、加湿ロータ４０の厚さ方向の全体に水が行き亘ることになって、大きな加湿量を得ることができる。
【０１５４】
また、上記実施形態の空気清浄機では、加湿ロータ４０の厚さ方向の下流側の部分に水を直接掛けないので、加湿ロータ４０から下流側への水飛びを防止でき、ひいては、ファン２０および吹出口６からの水飛びを防止できる。
【０１５５】
また、上記実施形態の空気清浄機では、水掛装置６０のバケット部６１の開口８１近傍の加湿ロータ４０側の内面６２の縁６２ａの軌跡である円錐面Ｃに対する接平面ＴＰであって、かつ、上記開口８１近傍の加湿ロータ４０側の内面６２の縁６２ａを通る接平面ＴＰに対して、バケット部６１の開口８１近傍の加湿ロータ４０側の内面６２は反加湿ロータ４０側に鋭角θに傾斜しているので、加湿ロータ４０の頂上ＲＳ付近で水の全量を排出し終わることと、加湿ロータ４０に掛けられた水が加湿ロータ４０と共に回転方向Ｒの前方に移動することとが相俟って、加湿ロータ４０の頂上ＲＳの両側の広い範囲に水を行き亘らせることができて、加湿量を多くすることができる。
【０１５６】
また、上記実施形態の空気清浄機では、バケット部６１の開口８１の近傍に位置して、加湿ロータ４０を保持すると共に、水ガイドとしての機能を有する保持部を、旋回枠６５に設けているので、開口８１からの水を加湿ロータ４０の半径方向の内側に迅速に案内して、加湿ロータ４０の広い範囲に速く行き亘らせて、加湿量を増大できる。
【０１５７】
また、上記実施形態の空気清浄機では、バケット部６１の開口８１から排出された水が空気流と共に加湿ロータ４０の後方に行くのを、その開口８１の前方に位置する旋回枠６５の壁部７８によって、遮るので、加湿ロータ４０の後方への水飛びを防止して、加湿量を増大でき、かつ、ファン２０および吹出口６からの水飛びを防止できる。
【０１５８】
また、上記実施形態の空気清浄機では、バケット部６１の開口８１から水を加湿ロータ４０に掛けるときに、このバケット部６１の開口８１近傍の加湿ロータ４０側の内面６２が空気流の上流側が下になるように傾斜しているという構成によって、掛けられた水が空気流の上流側に向けての速度成分を有していることと、バケット部６１の開口８１が加湿ロータ４０の厚さ方向の上流側の部分に対応しているという構成によって、開口８１からの水は加湿ロータ４０の厚さ方向の上流側の部分に掛けられることと、バケット部６１の開口８１近傍の加湿ロータ４０側の内面６２の縁６２ａの軌跡である円錐面Ｃに対する接平面ＴＰであって、かつ、その内面６２の縁６２ａを通る接平面ＴＰに対して、上記内面６２が反加湿ロータ４０側に鋭角θに傾斜しているという構成によって、バケット部６１は、加湿ロータ４０の頂上ＲＳに行く前に、水を排出し始め、加湿ロータ４０の頂上ＲＳ付近で水の全量を排出し終わることと、バケット部６１の開口８１の近傍に設けられた保持部７５という構成によって、開口８１から排出された水を加湿ロータ４０の半径方向内側に迅速に案内することと、上記バケット部６１の開口の前方に位置する旋回枠６５の壁部７８という構成によって、バケット部６１の開口８１から排出された水が空気流と共に加湿ロータ４０よりも後方に行くのを遮って、加湿ロータ４０に向けて落下させることとの相乗作用によって、極めて多い加湿量を得ることができる。
【０１５９】
また、上記実施形態の空気清浄機では、バケット部６１とバケット部６１との間において、加湿ロータ４０の外周面が旋回枠６５から露出しているので、加湿ロータ４０の露出した外周面から、加湿ロータ４０に水を滲みこませて、加湿量を増大できる。
【０１６０】
また、上記実施形態の空気清浄機では、旋回枠６５の外周部に歯車７９を設け、この歯車７９を駆動するギヤードモータ７４を加湿ロータ４０と空気流の流れ方向に重ならないよう配置しているので、このギヤードモータ７４が加湿ロータ４０を通る空気流の邪魔にならなくて、加湿ロータ４０を通る空気量を増大できて、加湿量を増大できる。
【０１６１】
また、上記実施形態の空気清浄機では、加湿ロータ４０を水トレー９０の汲み上げ部９２内の水に浸らないように配置しているので、ギヤードモータ７４で旋回枠６５の旋回をオン、オフすることによって、加湿機能のオン、オフ制御をすることができる。
【０１６２】
また、上記実施形態の空気清浄機では、仕切り壁９１によって、水トレー９０を、バケット部６１で水が汲み上げられる汲み上げ部９２と、空気清浄フィルタユニット３０の上流側の空気圧力を受ける非汲み上げ部９３とに仕切り、この仕切り壁９１の下部に通水孔としての長穴９５を設けているので、ファン２０の風量の増大に応じて、空気清浄フィルタユニット３０の上流側と下流側との差圧が高くなると、この差圧の高さに応じて、汲み上げ部９２の水位が高くなって、旋回枠６５の回転速度を変えなくても、ファン２０の風量の増大に応じて、バケット部６１の汲み上げ水量を自動的に調節できて、加湿ロータ４０に対する水掛け量を自動的に調節して、加湿量を簡単に自動的に調節できる。
【０１６３】
また、上記実施形態の空気清浄機では、水トレー９０の仕切り壁９１の下部に、横に長い長穴９５を設けているので、この横に長い長穴９５は空気に露出しにくい上に、非汲み上げ部９３から汲み上げ部９２に迅速に水を供給して、汲み上げ部９２の水位の自動調節の応答速度を速くすることができる。
【０１６４】
また、上記実施形態の空気清浄機では、非汲み上げ部９３の水位が予め定められた一定値以上になると、非汲み上げ部９３から切欠き１０１を通して水が流入するバッファ水収容部９９を設けているので、ファン２０の回転が停止して、空気清浄フィルタユニット３０の上流側と下流側の差圧がなくなって、汲み上げ部９２から非汲み上げ部９３に水が戻っても、非汲み上げ部９３から外部へ水がオーバーフローするのを防止することができる。
【０１６５】
また、上記実施形態の空気清浄機では、ケーシング１の前面側から、メンテナンス頻度の高い順に略１直線状に、水タンク１０、プレフィルタ３１、イオン化部３２、集塵フィルタ３３、脱臭フィルタ３４および加湿ロータ４０を配置しているので、水タンク１０、プレフィルタ３１、イオン化部３２、集塵フィルタ３３、脱臭フィルタ３４および加湿ロータ４０の各々のメンテナンスの作業性は、メンテナンス作業の頻度がより低いものが、メンテナンス作業の頻度のより高いものの邪魔をすることがなくて、メンテナンスの作業性が良い。
【０１６６】
また、上記実施形態の空気清浄機では、ファン２０は、水タンク１０、空気清浄フィルタユニット３０および加湿ロータ４０よりも後面側に位置しているので、ファン２０が、水タンク１０、空気清浄フィルタユニット３０および加湿ロータ４０の清掃、交換等のメンテナンス作業の邪魔になることがなく、したがって、メンテナンスの作業性が良い。
【０１６７】
上記実施形態では、吹出口６をケーシング１の上面に設けたが、吹出口をケーシングの側面に設けてもよく、あるいは、ケーシングの上面と側面の両方に設けてもよい。
【０１６８】
また、上記実施形態では、空気清浄フィルタユニット３０は、プレフィルタ３１、イオン化部３２、集塵フィルタ３３および脱臭フィルタ３４を含んでいたが、これらの他、除菌フィルタを含んでいてもよく、あるいは、イオン化部３２や脱臭フィルタ３４等を除去してもよい。例えば、空気清浄フィルタユニットは、プレフィルタと集塵フィルタのみを含んでいてもよく、あるいは、単一のフィルタのみで構成してもよい。
【０１６９】
また、上記実施形態では、加湿部材として、加湿ロータ４０を用いたが、これに代えて、水掛装置とは別体の静止した加湿部材を用い、この静止した加湿部材に、水掛装置の旋回枠に設けたバケット部から水を掛けるようにしてもよい。
【０１７０】
また、上記実施形態では、旋回枠６５の外周に歯車７９を設けたが、歯車に代えてベルト用のプーリ部を設けて、旋回枠をベルト駆動してもよく、あるいは、旋回枠の中心にモータの軸を連結して、旋回枠をモータで直接駆動してもよい。
【０１７１】
また、上記実施形態では、水掛装置６０は、旋回枠６５とバケット部６１を有していたが、これらに代えて、水を汲み上げるポンプを用い、このポンプで加湿部材に水を掛けるようにしてもよい。
【０１７２】
また、上記実施形態では、水トレー９０に仕切り壁９１を設けて、汲み上げ部９２と非汲み上げ部９３とに仕切り、仕切り壁９１の下部に通水孔としての長穴９５を設けたが、通水孔は一個または複数のスリットまたは丸穴であってもよい。
【０１７３】
また、上記実施形態では、水トレー９０に、汲み上げ部９２と非汲み上げ部９３とを仕切る仕切り壁９１を設け、この仕切り壁９１に通水孔を設けて、風量に応じて、汲み上げ部９２の汲み上げ水量を自動的に調節するようにしたが、仕切り壁９１を取り除いて、水位の自動調節機能をなくしてもよい。
【０１７４】
また、上記実施形態では、非汲み上げ部９３の水位が予め定められた一定値以上になると、非汲み上げ部９３から切欠き１０１を通して水が流入するバッファ水収容部９９を設けているが、このバッファ水収容部９９および切欠き１０１を除去してもよい。
【図面の簡単な説明】
【０１７５】
【図１】この発明の空気清浄機の１実施形態の斜視図である。
【図２】上記実施形態の空気清浄機の縦断面図である。
【図３】上記実施形態の空気清浄機の横断面図である。
【図４】上記実施形態の空気清浄機の前面パネルを取り外して水タンク側から見た正面図である。
【図５】比較例を示す模式図である。
【図６】上記実施形態の空気清浄機のファンと加湿ロータと仕切り板との関係を示す模式図である。
【図７】上記実施形態の空気清浄機の加湿ロータとベルマウスと仕切り板との関係を示す模式図である。
【図８】変形例の加湿ロータとベルマウスと仕切り板との関係を示す模式図である。
【図９】水掛装置を正面から見た図である。
【図１０】旋回枠の斜視図である。
【図１１】旋回枠の要部を示す斜視図である。
【図１２】バケット部を示す斜視図である。
【図１３】バケット部の開口近傍の加湿ロータ側の内面の縁の軌跡と、その内面との関係を示す説明図である。
【図１４】加湿ロータに水が掛けられた状態およびその水の動きを説明する図である。
【図１５】水トレーの斜視図である。
【図１６】図１６の（Ａ）および（Ｂ）は、上記実施形態の空気清浄機と比較例との加湿量試験結果を示す表およびグラフである。
【符号の説明】
【０１７６】
１  ケーシング
３  前面パネル
５  吸込口
６  吹出口
１０  水タンク
１１  後面
１２  傾斜面
２０  ファン
２３  ベルマウス
３０  空気清浄フィルタユニット
３１  プレフィルタ
３２  イオン化部
３３  集塵フィルタ
３４  脱臭フィルタ
４０  加湿ロータ
５０  仕切り板
５１  非加湿通路
５２  加湿通路
６０  水掛装置
６１  バケット部
６２  内面
６２ａ  縁
６５  旋回枠
７４  ギヤードモータ
７５  保持部
７８  壁部
７９  歯車
８１  開口
９０  水トレー
９１  仕切り壁
９２  汲み上げ部
９３  非汲み上げ部
９５  長穴
９９  バッファ水収容部
１０１  切欠き
【図１】
2010019524.tif 000003
【図２】
2010019524.tif 000004
【図３】
2010019524.tif 000005
【図４】
2010019524.tif 000006
【図５】
2010019524.tif 000007
【図６】
2010019524.tif 000008
【図７】
2010019524.tif 000009
【図８】
2010019524.tif 000010
【図９】
2010019524.tif 000011
【図１０】
2010019524.tif 000012
【図１１】
2010019524.tif 000013
【図１２】
2010019524.tif 000014
【図１３】
2010019524.tif 000015
【図１４】
2010019524.tif 000016
【図１５】
2010019524.tif 000017
【図１６】
2010019524.tif 000018